(57)【要約】      （修正有）【課題】取り外し時に缶口閉鎖具が飛んでいかず、缶口を傷つけにくく、かつ、缶のお椀絞りに対応できる缶口閉鎖具用取り外し治具を提供する。【解決手段】缶口に装着された缶口閉鎖具２の周壁部下端２０に係合可能な係合部１１を有する柄１０を備えた取り外し治具であって、柄１０の先端に備えられた押支え部１２と、柄１０が途中から下方に枝分かれしその先端に延設された係合部１１とを有する。係合部１１を缶口閉鎖具２の周壁部下端２０に引っ掛け、押支え部１２を缶の水平部３２に当接させた状態で柄１０の後端側を上に引き上げる方向に回動させると、柄１０に手をかけた部分を力点、押支え部１２を缶に当接させた部分を支点、係合部１１を缶口閉鎖具２の周壁部下端２０に引っ掛けた部分を作用点とするてこの作用により、缶口閉鎖具２を持ち上げ、缶口から取り外すことができる。【選択図】図２
2019210046.tif 000002
【特許請求の範囲】
【請求項１】
缶口に装着された缶口閉鎖具の周壁部下端に係合可能な係合部を有する柄を備えた取り外し治具において、前記柄の先端に備えられた押支え部と、前記柄が途中から下方に枝分かれしその先端に延設された前記係合部と、を有するとともに、取り外しに際して前記係合部を缶口閉鎖具の周壁部下端に係合させたとき、前記柄の先端側が缶口閉鎖具の上方を通過するように位置し、その先端に備えられた前記押支え部が缶の水平部に当接することを特徴とする缶口閉鎖具用取り外し治具
【請求項２】
請求項１に記載の缶口閉鎖具用取り外し治具において、先端に押支え部を有する上部柄と、先端に係合部を有する下部柄とが重ねて構成されており、前記上部柄に上部柄長手方向に延びる固定具挿通用長孔あるいは複数個の固定具挿通用孔を設けるとともに、前記下部柄に固定具挿通用孔を設けたことを特徴とする缶口閉鎖具用取り外し治具
【発明の詳細な説明】
【技術分野】
【０００１】  本発明は、食品、塗料、化学品、燃料油などの運搬や保管に使われる缶の口元に装着される缶口閉鎖具用の取り外し治具に関するものである。
【背景技術】
【０００２】  缶の口元に装着される缶口閉鎖具の代表的なものとして、弾性鉤止片付キャップユニットがある。弾性鉤止片付キャップユニットには、弾性鉤止片付キャップの不時の開放を防ぐためや、不正開封防止のために上壁と側壁を有する輪状の金属製の封緘部材を装着してなるものがあり、封緘部材が装着されていない弾性鉤止片付キャップユニットでも、缶口に嵌めた後に、封緘部材単体を後から被せて使用するケースがほとんどである。【０００３】  缶口に嵌められた封緘部材付の弾性鉤止片付キャップユニットを取り外す際は、治工具類あるいは封緘部材に備えられたリング状の摘子片を利用して、封緘部材の輪の１カ所を引き裂いた後、封緘部材を引っ張り上げることで、弾性鉤止片付キャップユニットから封緘部材を取り外す。缶口に嵌められた弾性鉤止片付キャップユニットに後から封緘部材を被せたものの場合は、封緘部材と弾性鉤止片付キャップユニットとの間の隙間に治工具類を挿しこんで、上に持ち上げることで、弾性鉤止片付キャップユニットから封緘部材を取り外す。封緘部材を取り外した後は缶口に残った弾性鉤止片付キャップユニットの上壁を指で押すことで弾性鉤止片付キャップを開放し、缶口から取り外すことができる。【０００４】  しかし、この取り外し方法には、封緘部材と弾性鉤止片付キャップユニットとの間の僅かな隙間に治工具類を挿し込むのが困難であるため、治工具類を十分に挿し込みきれないまま力を加えたことで治工具類が滑り、手にぶつかって怪我をしてしまうといった問題や、金属製の封緘部材を引き裂く方法では、鋭利な切断箇所が剥き出しになり、これが手指に触れて怪我をしてしまう事故が発生しているといった問題があった。【０００５】  このような問題を発生させないために、マイナスドライバー等の治工具類を使い、てこの作用を利用して取り外す方法を採用している場合もある。この方法では、マイナスドライバー等の先端を封緘部材単体あるいは弾性鉤止片付キャップユニットの周壁部下端に引っ掛け、この部分を作用点、缶の縁に当接させた部分を支点、マイナスドライバー等の把持部を力点とするてこの作用を利用し、マイナスドライバー等の把持部を押し下げることで封緘部材単体、あるいは封緘部材と弾性鉤止片付キャップユニットをまとめて持ち上げることで、取り外しを行っている。【０００６】  他に考えられる方法としては、実開昭５０−９５３７４に開示されたようなビンの口元に嵌着された王冠を開栓するための栓抜き状のものを使用する方法がある。この場合は、栓抜きの開口部に形成された係合爪を封緘部材単体あるいは弾性鉤止片付キャップユニットの周壁部下端に引っ掛け、この部分を作用点、弾性鉤止片付キャップユニットの天面に当接させた部分を支点、栓抜きの把持部を力点とするてこの作用を使用することで取り外しを行うことが想定される。【０００７】  本明細書で記載した、封緘部材付きの弾性鉤止片付キャップユニット、封緘部材が装着されていない弾性鉤止片付キャップユニット、封緘部材単体はすべて缶口閉鎖具である。
【先行技術文献】
【特許文献】
【０００８】
【特許文献１】実開昭５０−９５３７４公報
【発明の概要】
【発明が解決しようとする課題】
【０００９】  マイナスドライバー等の治工具類を使い、てこの作用を利用した方法では、缶口閉鎖具に上向きの力が加わるので、取り外した缶口閉鎖具が上方に勢いよく飛んでしまい、それがぶつかることによる怪我の危険や紛失の危険がある。また、缶口閉鎖具の取り外し時のマイナスドライバー等の回動方向は、その先端が上向きに移動する方向であるので、その先端が缶口閉鎖具の周壁部下端に十分に引っ掛からないまま回動させると、滑った拍子に、上向きになった先端が缶を押さえていた手や、上方にある顔などを傷付ける危険性があった。【００１０】  図７に示すように缶は一般的に缶口の部分が一段低くなっており（以後、これをお椀絞りと表記する）、かつ支点位置となる缶の縁の高さが缶の水平部の位置よりも高いため、回動始めの支点Ｌａとマイナスドライバー等の先端を結ぶ直線と水平線とがなす傾斜角度θが大きくなる。加えて、マイナスドライバー等の先端の回動軌跡の膨らみが缶口をえぐるような膨らみになっているため、マイナスドライバー等の先端の回動軌跡Ｑ上に缶口が深く干渉して缶口を傷つけてしまうという問題もあった。【００１１】  栓抜き状のものを使用する方法では、缶口閉鎖具の周壁部下端の位置が缶の水平部の位置よりも若干低いことが多いため、ほぼ平坦な形状をしている栓抜きでは、把持部が缶にぶつかり缶口閉鎖具の周壁部下端に係合爪を引っ掛けること自体ができなかった。【００１２】  したがって、本発明の目的は、取り外し時に缶口閉鎖具が飛んでいかず、缶口を傷つけにくく、かつ缶のお椀絞りに対応できる缶口閉鎖具用取り外し治具を提供することにある。
【課題を解決するための手段】
【００１３】  前記目的を達成するために、本発明に係る缶口閉鎖具用取り外し治具は、下記の特徴を有する。缶口に装着された缶口閉鎖具の周壁部下端に係合可能な係合部を有する柄を備えた取り外し治具であって、柄の先端に備えられた押支え部と、柄が途中から下方に枝分かれしその先端に延設された係合部とを有する。取り外しに際して係合部を缶口閉鎖具の周壁部下端に係合させたとき、柄の先端側が缶口閉鎖具上方を通過するように位置し、その先端に備えられた押支え部が缶の水平部に当接する。【００１４】  このようにしたため、本発明に係る缶口閉鎖具用取り外し治具は、係合部を缶口閉鎖具の周壁部下端に引っ掛け、押支え部を缶の水平部に当接させた状態で柄の後端側を上に引き上げる方向に回動させると、柄に手をかけた部分を力点、押支え部を缶に当接させた部分を支点、係合部を缶口閉鎖具の周壁部下端に引っ掛けた部分を作用点とするてこの作用により、缶口閉鎖具を持ち上げ缶口から取り外すことができる。【００１５】  また、取り外しの際、柄の先端側を缶口閉鎖具上方に通過するように位置させたため、これがカバーの役割を担い、缶口閉鎖具が勢いよく取り外されたとしても、缶口閉鎖具が飛んでいってしまうことがなくなる。取り外しの際の回動方向は、係合部が下を向いていく方向で、かつこの係合部の上部には常に柄が通っている形になるため、係合部が缶を押さえていた手や上方にある顔などにぶつかりにくく、万が一取り外し操作中に滑ったとしても、怪我をしにくくなる。【００１６】  さらに、回動始めの支点の位置が缶口閉鎖具を挟んで係合部の反対側にあるため、係合部先端の回動軌跡の膨らみが、図７に示したマイナスドライバー等を使用した方法でのマイナスドライバー等の先端の回動軌跡の膨らみと逆になり、係合部先端の回動軌跡が缶口に干渉しづらくなり、缶口を傷つけにくくなる。【００１７】  柄を下方に枝分かれさせた先端に係合部を延設させたため、お椀絞りのある缶に装着された缶口閉鎖具の周壁部下端にも、下に潜り込むような形で係合させることができる。栓抜きで王冠を開栓する際は、支点が王冠（取り外されるもの）天面に位置するので、王冠を変形させながら取り外すことになるが、本発明に係る缶口閉鎖具用取り外し治具で缶口閉鎖具を取り外す際は、支点が缶口閉鎖具（取り外されるもの）上に位置するのではなく缶の水平部当接させた部分になるので、取り外し時に缶口閉鎖具を変形させない。そのため、缶口閉鎖具を再度缶口に嵌め直すこともできる。【００１８】  好ましくは、先端に押支え部を有する上部柄と、先端に係合部を有する下部柄とが重ねて構成されており、上部柄に上部柄長手方向に延びる固定具挿通用長孔あるいは複数個の固定具挿通用孔を設けるとともに、下部柄に固定具挿通用孔を設ける。【００１９】  このようにしたため、係合部と押支え部の距離を調節することができ、１つの治具で種々のサイズの缶口閉鎖具やお椀絞りに対応できる。
【発明の効果】
【００２０】  以上のように本発明によれば、取り外し時に缶口閉鎖具が飛んでいかず、缶口を傷つけにくく、かつ缶のお椀絞りに対応できる、缶口閉鎖具用取り外し治具を提供することができる。
【図面の簡単な説明】
【００２１】
【図１】  本発明に係る缶口閉鎖具用取り外し治具の斜視図である。（第１実施形態）
【図２】  図１の取り外し治具を缶口閉鎖具に引っ掛けた状態を示す斜視図である。（第１実施形態）
【図３】  図２の工程の後、取り外し治具を回動させて缶口閉鎖具を取り外した状態を示す斜視図である。（第１実施形態）
【図４】  図１の取り外し治具を缶口閉鎖具に引っ掛けた回動始めの状態を示す側面断面図である。（第１実施形態）
【図５】  本発明に係る缶口閉鎖具用取り外し治具の斜視図である。（第２実施形態）
【図６】  本発明に係る缶口閉鎖具用取り外し治具の斜視図である。（第３実施形態）
【図７】  マイナスドライバー等を缶口閉鎖具に引っ掛けた回動始めの状態を示す側面断面図である。（従来方法）
【発明を実施するための形態】
【００２２】  以下、本発明に係る第１実施形態について、図１及び図４を用いて説明する。はじめに、第１実施形態における缶口閉鎖具用取り外し治具の構成について図１を用いて説明する。第１実施形態における缶口閉鎖具用取り外し治具１は、上部柄１０Ａ、下部柄１０Ｂ、係合部１１および押支え部１２を備える。
【００２３】  上部柄１０Ａは長い直線状の金属製角材でできており、長手方向に延びる係合部調整用長孔（固定具挿通用長孔）１３が設けられている。先端には、軸方向が係合部調整用長孔１３と同一である押支え部固定用ネジ孔１６が２つ並設されている。缶口閉鎖具２の取り外しの際、上部柄１０Ａの先端側が缶口閉鎖具２の上方を通過するように位置するので、上部柄１０Ａの先端側は缶口閉鎖具２の飛び出し防止カバーの役割も担う。
【００２４】  下部柄１０Ｂは金属製角材でできており、軸方向が同一の係合部固定用ネジ孔（固定具挿通用孔）１４が２つ設けられている。先端側は下方に湾曲され、さらにその先端には、先細りになっていて、かつ上部柄１０Ａの先端方向に延びる若干上向きの係合部１１が延設されている。下部柄１０Ｂを下方に湾曲させて係合部１１の位置を低くしたことにより、缶の水平部よりも位置の低い缶口閉鎖具２の周壁部下端２０にも係合部１１を引っ掛けることができる。下部柄１０Ｂの曲げ具合は、係合部１１を缶口閉鎖具２の周壁部下端２０に引っ掛けようとした際に、下部柄１０Ｂが缶のお椀絞り３１に干渉して引っ掛けられなかったり、上部柄１０Ａが缶口閉鎖具２の天面に干渉して引っ掛けられなかったりしないように設定されている。
【００２５】  上部柄１０Ａと下部柄１０Ｂは、係合部調整用長孔１３と係合部固定用ネジ孔１４に蝶ネジ２本を通すことで重ねて固定される。これを１本の柄１０として捉えると、柄１０が途中で下方に枝分かれし、その先端に係合部１１を有するような構造になっている。缶口閉鎖具２の取り外しの際は、柄の後端を手で掴んで操作することになる。
【００２６】  また、上部柄１０Ａには係合部調整用長孔１３が設けられているため、蝶ネジを緩めて、下部柄１０Ｂの固定位置を前後方向にスライドさせることで、押支え部１２と係合部１１との間の距離を缶口閉鎖具２や缶のお椀絞り３１の大きさに応じて調節することができる。
【００２７】  押支え部１２は缶を傷つけないようウレタンの角材でできており、上部柄１０Ａに並設された２つの押支え部固定用ネジ孔１６と同間隔に押支え部固定用孔１５が２つ並設されている。押支え部１２の高さは、缶口閉鎖具２の取り外しの際、係合部１１を缶口閉鎖具２の周壁部下端２０に引っ掛けたときに、上部柄１０Ａが缶口３０に装着された缶口閉鎖具２の天面に干渉しないような高さに設定されている。
【００２８】  押支え部１２は、押支え部固定用ネジ孔１６と押支え部固定用孔１５に皿ネジを２本通すことで、上部柄１０Ａの先端に、下部柄１０Ｂを取り付けた面と同一の面に取り付けられている。
【００２９】  以下、本発明による缶口閉鎖具用取り外し治具により、缶口閉鎖具を取り外す手順について、第１実施形態を例に図２および図３を用いて説明する。まず、上部柄１０Ａの後端側を持ち、押支え部１２を缶の水平部３２に当接させた状態で、係合部１１を缶口閉鎖具２の周壁部下端２０に引っ掛ける（図２参照）。次に、押支え部１２を缶の水平部３２に当接させたまま、上部柄の後端側を上に引き上げる方向に回動させる（図３参照）。すると、上部柄１０Ａをつかんだ部分を力点、押支え部１２を缶の水平部に当接した部分を支点Ｌａ、係合部１１を缶口閉鎖具２の周壁部下端２０に引っ掛けた部分を作用点Ｌｂとするてこの作用で、缶口閉鎖具２が持ち上げられ、缶口３０から取り外されることになる。
【００３０】  缶口閉鎖具２の取り外しの際の回動方向は、係合部１１が下を向いていく方向で、かつ係合部１１の上方には常に上部柄１０Ａが位置しているため、係合部１１が缶を押さえていた手や上方にある顔などにぶつかることによる怪我が起こりづらい。
【００３１】  図４に示した第１実施形態における缶口閉鎖具用取り外し治具１を用いた方法での回動始めの状態を、図７に示したマイナスドライバー等を用いた方法での回動始めの状態と比較すると、マイナスドライバー等を用いた方法では、支点Ｌａと作用点Ｌｂの位置が缶口３０に対して同じ方向に位置するのに対して、本発明に係る缶口閉鎖具用取り外し治具１を用いた方法では、支点Ｌａと作用点Ｌｂの位置が缶口３０を挟んで反対側に位置している。これにより、缶口閉鎖具用取り外し治具１の係合部１１の先端の回動軌跡Ｑの膨らみが、マイナスドライバー等を用いた方法の回動軌跡Ｑとは逆の膨らみになっている。これによりマイナスドライバー等を用いた方法と比較すると、係合部１１の先端の回動軌跡Ｑが缶口３０に干渉しづらくなっており、缶口３０を傷つけにくい。
【００３２】  以上、本発明の第１実施形態について説明したが、本発明の適用範囲はこれに限られるものではない。
【００３３】  例えば、第１実施形態では、押支え部１２を有する上部柄１０Ａと、係合部１１を有する下部柄１０Ｂを重ねて組み合わせているが、図５に示した第２実施形態のように柄を１本にし、この柄１０が途中で下方に枝分かれし、その先端に係合部１１を有するような構造にすることもできる。この場合は、係合部１１と押支え部１２との間の距離の調節ができないことを除けば、機能は第１実施形態と同じである。先端に押支え部１２を取り付けた柄（第１実施形態では上部柄１０Ａ）と、係合部１１を有する部材（第１実施形態では下部柄１０Ｂ）を、一体的に成形するか、別部材として加工し後で組み合わせるかは選択自由である。組み合わせる場合の固定方法も第１実施形態の方法に限定されるものではなく、係合部１１と押支え部１２との間の距離の調節が必要であれば、係合部１１を有する部材が、先端に押支え部１２を取り付けた柄の軸方向に摺動できる方法であればよい。係合部１１と押支え部１２との間の距離の調節が不要である場合の固定方法も自由である。
【００３４】  また、第１実施形態では柄１０が長手方向に直線上に延びているが、図６に示した第３実施形態のように、手で掴みやすいよう柄１０を曲げて後端側の高さ位置を変える等してもよい。柄１０の先端側には第２実施形態のように、缶口閉鎖具２の上部を覆うようなカバー１９を設けて、缶口閉鎖具２の飛び出し防止効果を高めることも１つの例として挙げられる。このカバー１９は、第２実施形態では缶口閉鎖具２の上部のみを覆う平板にしているが、缶口閉鎖具２の側面も覆うように、天面のある筒状にする等してもよい。
【００３５】  第１実施形態では、係合部１１と押支え部１２との間の距離の調節用に、上部柄１０Ａに係合部調整用長孔１３を設けているが、細かい調節が不要で、数段階の距離可変ができればよいのであれば、第３実施形態のように、この係合部調整用長孔１３を複数個の係合部調整用孔１７に代替してもよい。
【００３６】  柄１０、上部柄１０Ａ、下部柄１０Ｂは金属製に限らず木材や樹脂等、想定される使用に耐え得る強度があれば、どの材質を選択してもよいし、第１実施形態と第２実施形態では角材を加工しているが、パイプ材や丸棒材等を選択してもよい。押支え部１２の材質もウレタンに限られるものではなく、缶を傷つけない材質を選択すればよい。
【００３７】  押支え部１２は、缶口閉鎖具２の取り外しの際に、缶の水平部３２に当接されていればよいので、例えば第２実施形態のように、柄の先端を下方に折り曲げてその先に取り付けるようにしてもよい。
【００３８】  押支え部１２の形状は、取り外し操作中に支障がでなければどのような形状でもよいが第１実施形態や第２実施形態のように、四角柱や横倒しの円柱等にすると、取り外しの際に缶口閉鎖具用取り外し治具１を回動させても、押支え部１２と缶の水平部３２が線で当接することになるので、支点が缶の縁に当接させた１点になるマイナスドライバー等を用いる方法（図７参照）よりも安定する。また、第３実施形態のように、柄１０の先端を二股に分けて、押支え部１２の先端を丸くしても、押支え部１２と缶の水平部３２が２点で当接することになるので、マイナスドライバー等を用いる方法よりも安定する。押支え部１２は、第３実施形態のように、柄１０（柄１０Ａ）と一体的に成形してもよい。
【００３９】  係合部１１の先端の形状は、第１実施形態では、若干上向きになるようにしているが、これに限定されるものではなく、缶口閉鎖具２の取り外しの際に缶口閉鎖具２の周壁部下端２０に係合部１１が引っ掛かかり、取り外し操作に支障がなければ、どのような形状でもよい。また、第２実施形態のように、柄１０の後端側にグリップ１８をつけて、握りやすくすることもできる。
【００４０】  また、図２、図３、図４及び図７は、缶口閉鎖具として、代表的な金属製の封緘部材付きの弾性鉤止片付キャップユニットを図示している。封緘部材単体を取り外すケースを例に図示したが、封緘部材を弾性鉤止片キャップとまとめて取り外すことも可能である。弾性鉤止片付キャップユニット以外の缶口閉鎖具でも、係合部１１を引っ掛ける箇所があれば本発明に係る缶口閉鎖具用取り外し治具を適用することができる。
【符号の説明】
【００４１】１      缶口閉鎖具用取り外し治具
１０    柄
１０Ａ  上部柄
１０Ｂ  下部柄
１１    係合部
１２    押支え部
１３    係合部調整用長孔（固定具挿通用長孔）
１４    係合部固定用ネジ穴（固定具挿通用孔）
１５    押支え部固定用孔
１６    押支え部固定用ネジ孔
１７    係合部調整用孔（固定具挿通用孔）
１８    グリップ
１９    カバー
２      缶口閉鎖具
２０    周壁部下端
３      缶
３０    缶口
３１    お椀絞り
３２    缶の水平部
Ｌａ    支点
Ｌｂ    作用点
θ      傾斜角度
Ｑ      回動軌跡
【図１】
2019210046.tif 000003
【図２】
2019210046.tif 000004
【図３】
2019210046.tif 000005
【図４】
2019210046.tif 000006
【図５】
2019210046.tif 000007
【図６】
2019210046.tif 000008
【図７】
2019210046.tif 000009